(57)【特許請求の範囲】
【請求項１】
クレーンなどの移送手段により搬送されて、相互に並列結合される一対のコンテナユニット（Ｃｕ，Ｃｕ）を、地盤（Ｇ）上に設置される基礎（Ｂ2 ）上にアンカー（Ａ）をもって着脱可能に取付けてなる、移設型建築物の、厨房床の排水設備であって、
各コンテナユニット（Ｃｕ，Ｃｕ）の骨格をなす躯体（１，１）の床鉄骨ビーム（１１，１１）上に、厨房床（２2 ，２2 ）を敷設し、相互に隣接する厨房床（２2 ，２2 ）の外縁を、コンテナユニット（Ｃｕ，Ｃｕ）の相隣れる床鉄骨ビーム（１１，１１）上に固定し、それらの床鉄骨ビーム（１１，１１）同士は、それらに跨がる基礎（Ａ）上にアンカー（Ａ）を介して固定し、相隣れる床鉄骨ビーム（１１，１１）の間に、断面凹状の導水路（２０1 ）を有する排水溝（２０）を配置して、その排水溝（２０）を前記床鉄骨ビーム（１１，１１）に一体に支持し、前記排水溝（２０）上に複数の排水目皿（２１）を着脱自在に敷設し、その排水目皿（２１）の上面と、厨房床（２2 ，２2 ）の上面とを同一平面上に一致させてなることを特徴とする、移設型建築物の、厨房床の排水設備。
【請求項２】
前記基礎（Ｂ2 ）は移設可能であることを特徴とする、前記請求項１に記載の移設型建築物の、厨房床の排水設備。
【発明の詳細な説明】
【技術分野】
【０００１】
本発明は、複数の設置場所に移設することのできる、店舗、スポーツ施設、商業施設などの移設型建築物の、厨房床の排水設備に関する。
【背景技術】
【０００２】
工場などで製作される、店舗などの移設型建築物は、クレーンなどの移送手段により移送されて所定の設置場所に移送、設置され、その後、移設が必要となった場合（たとえば、移設店舗が不採算となった場合など）には、この移設型建築物は、他の設置場所に移設するようにされるが、その際に、設置工期の短縮化、省力化、低コスト化が要求される。
【０００３】
特に、移設型建築物の厨房部分の排水設備は、防水工事、排水工事、排水口の取付工事などの面倒な工事を伴うため、前記要求が一層が望まれる。
【発明の概要】
【発明が解決しようとする課題】
【０００４】
本発明は、かかる実情に鑑みてなされたもので、移設型建築物の厨房部分の排水設備を、簡単、容易に迅速に低コストで施工できるようにした、新規な移設型建築物の、厨房床の排水設備を提供することを目的とする。
【課題を解決するための手段】
【０００５】
上記目的を達成するため、請求項１記載の発明は、クレーンなどの移送手段により搬送されて、相互に並列結合される一対のコンテナユニットを、地盤上に設置される基礎上にアンカーをもって着脱可能に取付けてなる移設型建築物の、厨房床の排水設備であって、 各コンテナユニットの骨格をなす躯体の床鉄骨ビーム上に、厨房床を敷設し、相互に隣接する厨房床の外縁を、コンテナユニットの相隣れる床鉄骨ビーム上に固定し、それらの床鉄骨ビーム同士は、それらに跨がる基礎上にアンカーを介して固定し、相隣れる床鉄骨ビームの間に、断面凹状の導水路を有する排水溝を配置して、その排水溝を前記床鉄骨ビームに一体に支持し、前記排水溝上に複数の排水目皿を着脱自在に敷設し、その排水目皿の上面と、厨房床の上面とを同一平面上に一致させてなることを特徴としている。
【０００６】
上記目的を達成するため、請求項２記載の発明は、前記請求項１記載のものにおいて、前記基礎は移設可能であることを特徴としている。
【発明の効果】
【０００７】
請求項１記載の発明によれば、移設型建築物を構成する、複数コンテナユニットを地盤上に設置する際に、相互に隣接する厨房床の外縁を、コンテナユニットの相隣れる床鉄骨ビーム上に固定し、相隣れる床鉄骨ビームの間に、断面凹状の導水路を有する排水溝を配置してその排水溝を床鉄骨ビームに一体に支持し、排水溝上に複数の排水目皿を着脱自在に敷設することで、移設型建築物の排水設備を施工することができるので、排水設備の設置工期の短縮化、省力化、低コスト化を可能とすることができる。
【０００８】
請求項２記載の発明によれば、移設型建築物の移設が一層容易になる。
【図面の簡単な説明】
【０００９】
【図１】一対のコンテナユニットよりなる移設店舗の斜視図
【図２】図１の２矢視の、移設店舗の一部破断平面図
【図３】図２の３矢視の第１基礎の斜視図
【図４】図２の４矢視の第２基礎の斜視図
【図５】図２の５−５線に沿う拡大断面図
【図６】図２の６−６線に沿う拡大断面図
【図７】図６の７矢視の排水設備の斜視図
【発明を実施するための形態】
【００１０】
本発明の実施形態を、添付図面を参照して具体的に説明する。
【００１１】
以下の実施形態は、移設型建築物としての移設店舗に本発明の係る排水設備を実施した場合である。
【００１２】
図１に示すように、移設店舗Ｓは、少なくとも一対のコンテナユニットＣｕ、Ｃｕを並列に連結して構成される。各コンテナユニットＣｕは、工場で生産されてモジュール化されており、その骨格部分となる鉄骨製の躯体１に、床板、壁板、天井板などの付帯設備を適宜取り付けて構成される。各コンテナユニットＣｕは、クレーンなどの移送手段により吊り下げ移送可能であって、その上面四隅に吊り金具５が固着される。
【００１３】
図１に示すように、前記躯体１は、鉄骨フレーム１０を立方体状に枠組みして構成されており、その底部に、間隔をあけて並設される複数のＩ字鋼よりなる床鉄骨ビーム１１…を備える。移設店舗Ｓを設置する地盤Ｇ上には、コンクリートブロックよりなる複数の第１、第２基礎Ｂ1 ，Ｂ2 が所定の間隔をあけて設置され、これらの基礎Ｂ1 ，Ｂ2 上に、コンテナユニットＣｕ，Ｃｕが取脱可能に固定支持される。
【００１４】
躯体１の床鉄骨ビーム１１は、その底部フランジ部が、第１基礎Ｂ1 または第２基礎Ｂ2 上に複数のアンカーＡにより固定支持される。アンカーＡは、第１基礎Ｂ1 または第２基礎Ｂ2 に埋設されるアンカーボルト１５と、床鉄骨ビーム１１の底部フランジ部を貫通してそのアンカーボルト１５に螺締されるナット１６とよりなる。
【００１５】
図５，６に示すように、躯体１の床鉄骨ビーム１１は、第１基礎Ｂ1 あるいは第２基礎Ｂ2 上にアンカーＡにより固定される。
【００１６】
図３に示すように、コンクリートブロックよりなる第１基礎Ｂ1 は、単一のコンテナユニットＣｕを支持する支持部１７1 に、一対のアンカーボルト１５が埋設され、クレーンなどの移送手段により移送できるように、その四隅に吊り金具１８が固定されている。また、図４に示すように、コンクリートブロックよりなる第２基礎Ｂ2 は、相隣れる二つのコンテナユニットＣｕ，Ｃｕを支持する支持部１７2 に、二対のアンカーボルト１５が埋設され、クレーンなどの移送手段により移送できるように、その四隅に吊り金具１８が固定されている。そして、相互に連結されるコンテナユニットＣｕ，Ｃｕの相隣れる床鉄骨ビーム１１，１１同士は、それらに跨がる第２基礎Ｂ2 上に、アンカーＡを介して固定支持される（図５参照）。
【００１７】
図２に示すように、コンテナユニットＣｕの店舗部分の床鉄骨ビーム１１上には店舗床２1 が敷設され、またその厨房部分の床鉄骨ビーム１１上には厨房床２2 が敷設される。
【００１８】
図５〜７に示すように、相互に隣接配置される一対のコンテナユニットＣｕ，Ｃｕの厨房床２2 ，２2 の外縁間に形成される間隙部分には、排水設備Ｄが橋架連結される。この排水設備Ｄは、ステンレス製の排水溝２０と、その上面に着脱可能に敷設される複数枚の排水目皿２１とよりなる。前記排水溝２０は、床鉄骨ビーム１１，１１の間に設けられており、断面凹状の導水路２０1 の両側縁からそれぞれ略水平に取付フランジ２０2 が一体に延設されており、これらの取付フランジ２０2 は、隣接するコンテナユニットＣｕ，Ｃｕの床鉄骨ビーム１１，１１上にボルト・ナット１２により固定される。また排水目皿２１は、排水溝２０と略同幅の長方形状に形成され、多数の排水小孔２１1 が開口されている。そして排水溝２０の出口は、排水管２３を介して地盤Ｇ上の排水通路２４に連通される。
【００１９】
図１に示すように、クレーンなどの移送手段により設置場所に移送された一対のコンテナユニットＣｕ，Ｃｕは、第１，第２基礎Ｂ1 …Ｂ2 …上に並列設置され、それらのコンテナユニットＣｕ，Ｃｕの複数の床鉄骨ビーム１１…が、アンカーＡ…により、前記第１，第２基礎Ｂ1 …Ｂ2 …上に固定されて、一対のコンテナユニットＣｕ，Ｃｕよりなる移設店舗Ｓを設置場所に移設することができる。
【００２０】
而して、移設店舗Ｓの厨房部の排水設備Ｄは、ジョイントされる一対のコンテナユニットＣｕ，Ｃｕの厨房床２2 ，２2 下の床鉄骨ビーム１１…に橋架結合して構成することができるので、排水設備Ｄの設置工期の短縮化、省力化、低コスト化を可能とすることができる。
【００２１】
以上、本発明の実施形態について説明したが、本発明はその実施形態に限定されることなく、本発明の範囲内で種々の実施例が可能である。
【００２２】
たとえば、前記実施形態では、一対のコンテナユニットよりなる移設店舗に排水設備を設けているが、３つ以上のコンテナユニットよりなる移設建築物に排水設備を設けてもよい、またコンテナユニットの躯体に取り付けられる床板、壁板、天井板などの付帯設備は在来のものが使用される。
【符号の説明】
【００２３】
１・・・・・・・・・・躯体
２2 ・・・・・・・・・厨房床
１１・・・・・・・・・・床鉄骨ビーム
２０・・・・・・・・・・排水溝
２０1 ・・・・・・・・・導水路
２１・・・・・・・・・・排水目皿
Ａ・・・・・・・・・・アンカー
Ｂ2 ・・・・・・・・・基礎（第２基礎）
Ｃｕ・・・・・・・・・コンテナユニット
Ｇ・・・・・・・・・・地盤
【図１】
0005963215.tif 000002
【図２】
0005963215.tif 000003
【図３】
0005963215.tif 000004
【図４】
0005963215.tif 000005
【図５】
0005963215.tif 000006
【図６】
0005963215.tif 000007
【図７】
0005963215.tif 000008